(57)【要約】【課題】天井に配線類や格子等の凸条が露出していても天井面５０とソケット用カバー１０の開口端面との間に隙間なく取り付けて、シーリングコンセント４２及びソケット４３を覆い隠すことができるペンダント照明器具のソケット用カバー１０を提供すること。【解決手段】薄肉部３４ａ，３４ｂ，３４ｃ，３５ａ，３５ｂ，３５ｃ，３６ａ，３６ｂ，３６ｃ，３７ａ，３７ｂ，３７ｃに沿って半割カップ体２０の一部を切除することにより、ソケット用カバー１０の開口端部に嵌合凹部３４〜３７を形成する。この嵌合凹部３４〜３７を天井に敷設されて露出しているケーブル４７、ケーブルカバー４６，４８、ダクトレール４１、格子天井の格子等に嵌めることにより、ソケット用カバー１０の開口端面を天井面５０に密接させることができる。そのため、天井面５０とソケット用カバー１０との間の隙間を無くすことができ、隙間で天井の美観が損なわれることはない。【選択図】図２
2017195043.tif 000002
【特許請求の範囲】
【請求項１】
天井に設けられているシーリングコンセントに連結したソケットからペンダントケーブルで照明ライトを吊り下げるペンダント照明器具に用いられ、前記ソケットに被せるペンダント照明器具のソケット用カバーであって、
カップ形状を有し、
カップ形状の底面中心部にペンダントケーブルの挿通穴を形成し、
カップ形状の開口端部に薄肉部を形成し、
薄肉部からカップ形状の一部を切除することにより、天井に敷設されているシーリングコンセントから延びる凸条が嵌合する嵌合凹部をカップ形状の開口端部に形成するようにしたことを特徴とするペンダント照明器具のソケット用カバー。
【請求項２】
天井に設けられているシーリングコンセントに連結したソケットからペンダントケーブルで照明ライトを吊り下げるペンダント照明器具に用いられ、前記ソケットに被せるペンダント照明器具のソケット用カバーであって、
カップ形状を有し、
カップ形状の底面中心部にペンダントケーブルの挿通穴を形成し、
カップ形状の開口端部に薄肉部を形成し、
薄肉部に切り込みを入れることによりカップ形状の開口端部に可撓片を形成し、
該可撓片をカップ形状の内側へ撓めることにより、天井に敷設されているシーリングコンセントから延びる凸条が嵌合する嵌合凹部をカップ形状の開口端部に形成するようにしたことを特徴とするペンダント照明器具のソケット用カバー。
【請求項３】
天井に設けられているシーリングコンセントに連結したソケットからペンダントケーブルで照明ライトを吊り下げるペンダント照明器具に用いられ、前記ソケットに被せるペンダント照明器具のソケット用カバーであって、
カップ形状を有し、
カップ形状の底面中心部にペンダントケーブルの挿通穴を形成し、
カップ形状の開口端部に薄肉部を形成し、
薄肉部からカップ形状の一部を切除することによりカップ形状の開口端面にテーパ面を形成し、ソケットに被せたときカップ形状のテーパ面が天井に密接するようにしたことを特徴とするペンダント照明器具のソケット用カバー。
【請求項４】
幅及び深さの異なる複数種類の嵌合凹部が形成できるように複数個所に薄肉部を形成したことを特徴とする請求項１又は２に記載のペンダント照明器具のソケット用カバー。
【発明の詳細な説明】
【技術分野】
【０００１】
本発明はペンダント照明器具のソケット用カバーに関する。
【背景技術】
【０００２】
ペンダント照明器具は、天井に設けられているシーリングコンセントにソケットを連結し、ソケットからペンダントケーブルで照明ライトを天井から吊り下げて使用される。
【０００３】
ペンダント照明器具では天井のシーリングコンセントにソケットを連結してペンダントケーブルを天井から垂れ下げるので、室内の天井にシーリングコンセントとソケットが露出し、そのため、天井の美観が損なわれる。
【０００４】
一方、天井にシーリングコンセントとソケットが露出して天井の美観が損なわれないように、ソケットに被せて使用するペンダント照明器具のソケット用カバーが市場に供されている。このソケット用カバーはカップ形状を有し、カップ形状の底面中心部にペンダントケーブルの挿通穴が形成されている。ソケット用カバーはカップ形状の開口側からシーリングコンセントと、シーリングコンセントに連結したソケットに被せられ、挿通穴からケーブルが垂下するように天井に取り付けられる。
【先行技術文献】
【非特許文献】
【０００５】
【非特許文献１】jamboo シーリングカバー（天井照明ペンダント用ソケットカバー） (http://www.jamboo.jp/shop/products/detail/php?product_id=77)
【発明の概要】
【発明が解決しようとする課題】
【０００６】
シーリングコンセントに接続される電源ケーブルやケーブルカバー、ダクトレール等の配線類が天井に露出している場合、あるいはシーリングコンセントが格子天井の格子部分に設けられている場合、上記従来のソケット用カバーを天井に取り付けることで、シーリングコンセント及びソケットは覆い隠すことができるが、ソケット用カバーの開口端面と天井面との間に配線類や格子等の凸条の厚みに相当する隙間が形成され、その隙間により天井の美観が損なわれる。
【０００７】
本発明はかかる問題点に鑑み、天井に配線類や格子等の凸条が露出していても天井面とソケット用カバーの開口端面との間に隙間なく取り付けて、シーリングコンセント及びソケットを覆い隠すことができるペンダント照明器具のソケット用カバーを提供することを目的とする。
【課題を解決するための手段】
【０００８】
請求項１に記載の発明は、
天井に設けられているシーリングコンセントに連結したソケットからペンダントケーブルで照明ライトを吊り下げるペンダント照明器具に用いられ、前記ソケットに被せるペンダント照明器具のソケット用カバーであって、
カップ形状を有し、
カップ形状の底面中心部にペンダントケーブルの挿通穴を形成し、
カップ形状の開口端部に薄肉部を形成し、
薄肉部からカップ形状の一部を切除することにより、天井に敷設されているシーリングコンセントから延びる凸条が嵌合する嵌合凹部をカップ形状の開口端部に形成するようにしたことを特徴とする。
【０００９】
請求項２に記載の発明は、
天井に設けられているシーリングコンセントに連結したソケットからペンダントケーブルで照明ライトを吊り下げるペンダント照明器具に用いられ、前記ソケットに被せるペンダント照明器具のソケット用カバーであって、
カップ形状を有し、
カップ形状の底面中心部にペンダントケーブルの挿通穴を形成し、
カップ形状の開口端部に薄肉部を形成し、
薄肉部に切り込みを入れることによりカップ形状の開口端部に可撓片を形成し、
該可撓片をカップ形状の内側へ撓めることにより、天井に敷設されているシーリングコンセントから延びる凸条が嵌合する嵌合凹部をカップ形状の開口端部に形成するようにしたことを特徴とする。
【００１０】
請求項３に記載の発明は、
天井に設けられているシーリングコンセントに連結したソケットからペンダントケーブルで照明ライトを吊り下げるペンダント照明器具に用いられ、前記ソケットに被せるペンダント照明器具のソケット用カバーであって、
カップ形状を有し、
カップ形状の底面中心部にペンダントケーブルの挿通穴を形成し、
カップ形状の開口端部に薄肉部を形成し、
薄肉部からカップ形状の一部を切除することによりカップ形状の開口端面にテーパ面を形成し、ソケットに被せたときカップ形状のテーパ面が天井に密接するようにしたことを特徴とする。
【００１１】
請求項４に記載の発明は、
請求項１又は２に記載のペンダント照明器具のソケット用カバーにおいて、幅及び深さの異なる複数種類の嵌合凹部が形成できるように複数個所に薄肉部を形成したことを特徴とする。
【発明の効果】
【００１２】
請求項１に記載の発明によれば、薄肉部からカップ形状の一部を切除することにより、カップ形状の開口端部に嵌合凹部を形成できるので、ソケット用カバーをソケットに被せるとき、この嵌合凹部を天井に敷設されて露出しているケーブル、ケーブルカバー、ダクトレール、格子天井の格子等の凸条に嵌めることにより、ソケット用カバーの開口端面を天井面に密接させることができる。そのため、天井面とソケット用カバーの開口端面との間の隙間を無くすことができ、隙間で天井の美観が損なわれることはない。
【００１３】
請求項２に記載の発明によれば、薄肉部に切り込みを入れることにより、カップ形状の開口端部に可撓片を形成し、この可撓片をカップ形状の内側へ撓めることにより嵌合凹部を形成できるので、ソケット用カバーをソケットに被せるとき、この嵌合凹部を天井に敷設されて露出しているケーブル、ケーブルカバー、ダクトレール、格子天井の格子等の凸条に嵌めることにより、ソケット用カバーの開口端面を天井面に密接させることができる。そのため、天井面とソケット用カバーの開口端面との間の隙間を無くすことができ、隙間で天井の美観が損なわれることはない。
【００１４】
請求項３に記載の発明によれば、天井面がテーパを有する場合、薄肉部に沿ってカップ形状の一部を切除することによりソケット用カバーの開口端面にテーパ面を形成し、該テーパ面を天井に密接させて、天井面とカップ形状の開口端面との隙間を無くすことができる。
【００１５】
請求項４に記載の発明によれば、天井に敷設されているケーブル、ケーブルカバー、ダクトレール  あるいは格子天井の格子等幅及び深さの異なる凸条に適した嵌合凹部を形成できるので、利便性が向上する。
【図面の簡単な説明】
【００１６】
【図１】本発明の第１実施例に係るペンダント照明器具のソケット用カバーを示す斜視図である。
【図２】同カバーを構成する半割カップ片を示す斜視図である。
【図３】図２の３−３線から切断した横断面図である。
【図４】図２の４−４線から切断した縦断面図である。
【図５】同カバーのペンダントケーブルへの取付け方法を示す説明図である。
【図６】矩形片の一部を切除した半割カップ片を示す斜視図である。
【図７】同カバーのペンダントケーブルへの取付け方法を示す説明図である。
【図８】同カバーを構成する半割カップ片の係止片と被係止片を示す部分拡大図である。
【図９】同カバーを構成する半割カップ片の係止片と被係止片を示す部分拡大図である。
【図１０】同カバーのペンダントケーブルへの取付け方法を示す説明図である。
【図１１】同カバーを構成する半割カップ片の半割円筒部を示す部分拡大図である。
【図１２】同カバーのペンダントケーブルへの取付け方法を示す説明図である。
【図１３】同カバーのペンダントケーブルへの取付け方法を示す断面図である。
【図１４】同カバーのペンダントケーブルからの取り外し方法を示す説明図である。
【図１５】同カバーのケーブルカバーへの取り付け方法を示す説明図である。
【図１６】同カバーのケーブルへの取り付け方法を示す説明図である。ペンダントケーブルの収納方法を示す説明図で
【図１７】同カバーの他のケーブルカバーへの取り付け方法を示す説明図である。
【図１８】本発明の第２実施例に係るペンダント照明器具のソケット用カバーを示す斜視図である。
【図１９】同ソケット用カバーを示す斜視図である。
【図２０】同ソケット用カバーを示す断面図である。
【図２１】同ソケット用カバーのペンダントケーブルへの取り付け方法を示す説明図である。
【図２２】本発明の第３実施例に係るペンダント照明器具のソケット用カバーを示す斜視図である。
【図２３】同ソケット用カバーのペンダントケーブルへの取り付け方法を示す説明図である。
【実施例１】
【００１７】
以下に本発明を図面に基づき説明する。図１には本発明の一実施例に係るペンダント照明器具４０のソケット用カバー１０が示されている。当該ソケット用カバー１０はプラスチックでカップ形状に成型され、底面１１にはペンダントケーブルが挿通される挿通穴１２が形成されている。このソケット用カバー１０は図２に示す同一形状の二つの半割カップ片２０を合体することにより構成されている。
【００１８】
半割カップ片２０はカップ形状における底面１１の半分を構成する半割底面２１と、カップ形状における周面１３の半分を構成する半割周面２２を備えている。半割底面２１の中心部には挿通穴１２を構成する半割円筒部２３が内側に突出するように設けられている。半割円筒部２３の突出端部には爪片２４が形成されている。この爪片２４は突出端部から半割底面２１の側に屈曲している。半割円筒部２３には半割円筒部２３の縦方向に延びるスリット２５が形成されているので、爪片２４が半割円筒部２３の内外方向への可撓性を有する。
【００１９】
半割円筒部２３の一側には半割底面２１の端面２１ａから突出するように係止片２６が設けられている。この係止片２６の両側にはスリット２７が形成されているので、係止片２６は半割底面２１の内外方向への可撓性を有する。係止片２６の突出端部には摘み部２８とフック部２９が設けられている。摘み部２８は係止片２６の突出端部の外面から半割底面２１の外側へ突出するように設けられている。フック部２９は突出端部の内面に設けられている。フック部２９の先端にはテーパ面２９ａが形成されている。一方、半割円筒部２３の他側には被係止片３０が設けられるとともに、被係止片３０の内側に被係止穴３１が形成されている。
【００２０】
半割周面２２の先端側の一方の角隅部には軸部３２が設けられている。この軸部３２は半割カップ片２０の内側方向へ突出している。一方、半割周面２２の先端側の他方の角隅部には軸受用凹部３３が形成されている。また、半割周面２２の先端側端部の内面の複数個所に矩形片３４〜３７が形成されている。矩形片３４は直線状の薄肉部３４ａ，３４ｂ，３４ｃで区画形成されている。同様に、矩形片３５は直線状の薄肉部３５ａ，３５ｂ，３５ｃで区画形成され、矩形片３６は直線状の薄肉部３６ａ，３６ｂ，３６ｃで区画形成されている。また、矩形片３７は直線状の薄肉部３７ａ，３７ｂ，３７ｃで区画形成されている。図３及び図４に拡大して図示するように、薄肉片３７の各直線状の薄肉部３７ａ，３７ｂ，３７ｃはいずれも断面形状が略Ｖ字形の溝形を有する。同様に、他の矩形片３４，３５，３６の薄肉部３４ａ，３４ｂ，３４ｃ，３５ａ，３５ｂ，３５ｃ，３６ａ，３６ｂ，３６ｃも略Ｖ字溝で構成されている。後述するように、矩形片３４は天井に敷設されている小サイズのケーブルカバーが嵌合する嵌合凹部を形成するために設けられている。矩形片３５は天井に敷設されている電源ケーブルが嵌合する嵌合凹部を形成するために設けられ、矩形片３６は天井に敷設されているダクトレールが嵌合する嵌合凹部を形成するために設けられている。また、矩形片３７は天井に敷設されている大サイズのケーブルカバーが嵌合する嵌合凹部を形成するために設けられている。
【００２１】
本実施例に係るソケット用カバー１０の構成は以上の通りであって、ソケット用カバー１０を図５に示すペンダント照明器具４０に取り付けて使用する場合について説明する。このペンダント照明器具４０では、天井に敷設したダクトレール４１に摺動可能に組み込まれたシーリングコンセント４２にソケット４３が連結され、ソケット４３からペンダントケーブル４４で照明ライト４５が吊り下げられている。
【００２２】
ソケット用カバー１０をペンダント照明器具４０に取り付ける前に、図６に示すように、ニッパで直線状の薄肉部３６ａ，３６ｂ，３６ｃに沿ってカットラインを入れて、矩形片３６を両半割カップ片２０から切除し、ダクトレール４１が嵌合する嵌合凹部３６ｄを形成しておく。
【００２３】
図５に示すように、ペンダントケーブル４４の中間部を両半割カップ片２０で挟み、一方の半割カップ片２０の軸部３２を他方の半割カップ片２０の軸受用凹部３３に係合する。ついで、軸部３２を支点にして両半割カップ片２０を回動させて、両半割底面２１を当接する。図７及び図８に示すように、一方の半割カップ片２０の半割底面２１の端面に、他方の半割カップ片２０の半割底面２１の端面を当接する直前に、一方の半割カップ片２０のフック部２９のテーパ面２９ａが他方の半割カップ片２０の被係止片３０に当接するので、一方の半割カップ片２０の係止片２６が、半割底面の外側方向（矢印Ａ）へ撓む。図９に示すように、さらに一方の半割カップ片２０を回動すると、フック部２９が他方の半割カップ片２０の被係止片３０に係止して被係止穴３１に係止され、これにより図１０に示すように、両半割カップ片２０がペンダントケーブル４４の中間部でカップ形状に合体する。
【００２４】
両半割カップ片２０がカップ形状に合体すると、図１１に示すように、両半割円筒部２３が拡開し、ペンダントケーブル４４に両半割円筒部２３の爪片２４が圧接するので、カップ形状に合体した両半割カップ片２０がペンダントケーブル４４に取り付けられる。ペンダントケーブル４４に取り付けた両半割カップ片は、爪片２４が半割円筒部２３の突出端部から半割底面２１側に屈曲しているので、ソケット４３の方向へは、ペンダントケーブル４４に沿って摺動するが、照明ライト４５の方向へは摺動しない。そこで、図１１に示すように、合体した両半割カップ片２０を上方へ摺動させて、ソケット４３とシーリングコンセント４２に被せて覆い隠すとともに、嵌合凹部３６ｄをダクトレールに嵌合させる。これにより、図１２及び図１３に示すように、ソケット用カバー１０の開口端面が天井面５０に密接する。
【００２５】
ソケット４３に被せたソケット用カバー１０は、図１４に示すように親指４６を一方の摘み２８に当て、人差し指４７を他方の摘み２８に当て、両指４６，４７を閉じると、係止片２６が半割カップ片２０の底面２１の外側方向へ撓んで、フック部２９が被係止片３０から外れるので、二つの半割カップ片２０に分割され、ペンダントケーブル４４から取り外すことができる。
【００２６】
本実施例に係るペンダント照明器具のソケット用カバー１０の他の使用法を図１５〜図１７に示す。天井に小サイズのケーブルカバー４６が敷設されている場合、図１５に示すように、薄肉部３４ａ，３４ｂ，３４ｃに沿ってカットラインを入れて、矩形片３４を両半割カップ片２０から切除し、カバー１０の開口端部にケーブルカバー４６が嵌合する嵌合凹部３４ｄを形成する。図１６に示すように、天井にケーブル４７が敷設されている場合、薄肉部３５ａ，３５ｂ．３５ｃに沿ってカットラインを入れて、矩形片３５を両半割カップ片２０から切除し、カバー１０の開口端部にケーブル４７が嵌合する嵌合凹部３５ｄを形成する。図１７に示すように、天井に大サイズのケーブルカバー４８が敷設されている場合、薄肉部３７ａ，３７ｂ．３７ｃに沿ってカットラインを入れて、矩形片３７を両半割カップ片２０から切除し、カバー１０の開口端部にケーブルカバー４８が嵌合する嵌合凹部３７ｄを形成する。
【００２７】
本実施例によれば、薄肉部３４ａ，３４ｂ，３４ｃ，３５ａ，３５ｂ，３５ｃ，３６ａ，３６ｂ，３６ｃ，３７ａ，３７ｂ，３７ｃに沿って半割カップ体２０の一部を切除することにより、ソケット用カバー１０の開口端部に嵌合凹部３４〜３７を形成できる。この嵌合凹部３４〜３７を天井に敷設されて露出しているケーブル４７、ケーブルカバー４６，４８、ダクトレール４１、格子天井の格子等に嵌めることにより、ソケット用カバー１０の開口端面を天井面５０に密接させることができる。そのため、天井面５０とソケット用カバー１０との間の隙間を無くすことができ、隙間で天井の美観が損なわれることはない。
【００２８】
天井に敷設されているケーブル４７、ケーブルカバー４６，４８、ダクトレール４１、あるいは格子天井の格子等、幅及び深さの異なる凸条に適した嵌合凹部３４〜３７を形成できるので、利便性が良い。
【実施例２】
【００２９】
本発明の第２実施例に係るペンダント照明器具のソケット用カバーを図１８に示す。第１実施例に係るソケット用カバー１０のカップ形状は一対の半割カップ体２０を合体することにより形成されるが、図１８に示す第２実施例に係るソケット用カバー６０は分割構造ではなく、プラスチックでカップ形状に成型されている。このソケット用カバー６０の底面には挿通穴６１が形成され、開口端部の複数個所に矩形片６２，６３，６４，６５が形成されている。矩形片６２は薄肉部６２ａ，６２ｂ，６２ｃで区画されている。同様に、矩形片６３は薄肉部６３ａ，６３ｂ，６３ｃで区画され、矩形片６４は薄肉部６４ａ，６４ｂ，６４ｃで区画されている。また、矩形片６５は薄肉部６５ａ，６５ｂ，６５ｃで区画されている。矩形片６２，６３，６４，６５は、それぞれソケット用カバー６０の左半分と右半分に形成され、左右対称位置に配置されている。
【００３０】
大サイズのケーブルカバー４８が敷設された天井に設置されたペンダント照明器具にソケット用カバー６０を取り付ける場合、図１９に示すように、矩形片６４の薄肉部６４ａと薄肉部６４ｂに切り込みを入れことにより矩形片６４に可撓性をもたせる。そして、図２０に示すように、矩形片６４を撓めて薄肉部６４ｃから内側に折り曲げることにより嵌合凹部６４ｄを形成し、図２１に示すように、ケーブルカバー４８を嵌合凹部６４ｄに嵌め込んで、天井面５０とソケット用カバー６０との隙間を無くす。
なお、本実施例に係るソケット用カバー６０は２分割構造を有しないので、予めソケット４３をペンダントケーブル４４から外し、ペンダントケーブル４４を挿通穴６１に挿通してからペンダントケーブル４４とソケット４３を連結する必要がある。
【実施例３】
【００３１】
本発明の第３実施例に係るペンダント照明器具のソケット用カバー７０を図２２に示す。カップ形状を有するソケット用カバー７０の開口端部の内周面には３本の楕円形の薄肉部７０ａ，７０ｂ，７０ｃが形成されている。各楕円形の薄肉部７０ａ，７０ｂ，７０ｃはソケット用カバー７０の開口端面７０ｄに対して所定角度で傾斜するように設けられている。
【００３２】
第３実施例に係るソケット用カバー７０は図２３に示すように、テーパを有する天井面８１に設けられているペンダント照明器具８０に取り付けられる。このソケット用カバー７０を取り付けるには、薄肉部７０ｃからソケット用カバー７０の開口端部を部分的に切除し、ソケット用カバー７０の開口端部にテーパ面７０ｅを形成する。これにより、ソケット４３にソケット用カバー７０を被せたとき、テーパ面７０ｅが天井面８１に密接するので、天井面８１とソケット用カバー７０のテーパ面７０ｅとの間の隙間を無くすことが出来る。
【符号の説明】
【００３３】
１０…ソケット用カバー
１１…底面
１２…挿通穴
１３…周面
２０…半割カップ片
２１…半割底面
２２…半割周面
２３…半割円筒部
２４…爪片
２５…スリット
２６…係止片
２７…スリット
２８…摘み部
２９フック部
２９ａ…テーパ面
３０…被係止片
３１…被係止穴
３２…軸部
３３…軸受凹部
３４〜３７…矩形部
３４ａ，３４ｂ，３４ｃ，３５ａ，３５ｂ，３５ｃ，３６ａ，３６ｂ，３６ｃ，３７ａ，３７ｂ，３７ｃ…薄肉部
３４ｄ，３５ｄ，３６ｄ，３７ｄ…嵌合凹部
４０…ペンダント照明器具
４１…ダクトレール
４２…シーリングコンセント
４３…ソケット
４４…ペンダントケーブル
４５…照明ライト
４６，４８…ケーブルカバー
４７…ケーブル
５０…天井面
６０…ソケット用カバー
６１…挿通穴
６２，６３，６４，６５…矩形片
６２ａ，６２ｂ，６２ｃ，６３ａ，６３ｂ，６３ｃ，６４ａ，６４ｂ，６４ｃ，６５ａ，６５ｂ，６５ｃ…薄肉部
６４ｄ…嵌合凹部
７０…ソケット用カバー
７０ａ，７０ｂ，７０ｃ…薄肉部
７０ｄ…開口端面
７０ｅ…テーパ面
８０…ペンダント照明器具
８１…天井面
【図１】
2017195043.tif 000003
【図２】
2017195043.tif 000004
【図３】
2017195043.tif 000005
【図４】
2017195043.tif 000006
【図５】
2017195043.tif 000007
【図６】
2017195043.tif 000008
【図７】
2017195043.tif 000009
【図８】
2017195043.tif 000010
【図９】
2017195043.tif 000011
【図１０】
2017195043.tif 000012
【図１１】
2017195043.tif 000013
【図１２】
2017195043.tif 000014
【図１３】
2017195043.tif 000015
【図１４】
2017195043.tif 000016
【図１５】
2017195043.tif 000017
【図１６】
2017195043.tif 000018
【図１７】
2017195043.tif 000019
【図１８】
2017195043.tif 000020
【図１９】
2017195043.tif 000021
【図２０】
2017195043.tif 000022
【図２１】
2017195043.tif 000023
【図２２】
2017195043.tif 000024
【図２３】
2017195043.tif 000025